(57)【要約】【課題】高い精度で画像を評価することができる。【解決手段】画像データを撮影地情報と関連付けて記憶する画像記憶部２６と、端末からネットワークを介して所定の操作信号を受信する受信部２２と、前記受信部により前記所定の操作信号を受信し、かつ特定の条件が満たされたか否かを判定する判定部２０と、前記判定部による判定結果に基づいて、前記画像データに基づく画像に付与する評価の評価値を決定する決定部２０と、前記画像記憶部に記憶されている前記画像データに前記決定部により決定した前記評価値を関連付けて記憶させる記憶制御部２０と、前記画像データに関連付けられた前記評価値が所定の閾値を超えた場合、前記画像データに関連付けられている撮影地情報を、前記評価値が前記所定の閾値を超えていない他の画像データに関連付けられている撮影地情報と区別して登録する登録部２８とを備える。【選択図】図２
2015011418.tif 000002
【特許請求の範囲】
【請求項１】
画像データを撮影地情報と関連付けて記憶する画像記憶部と、
端末からネットワークを介して所定の操作信号を受信する受信部と、
前記受信部により前記所定の操作信号を受信し、かつ特定の条件が満たされたか否かを判定する判定部と、
前記判定部による判定結果に基づいて、前記画像データに基づく画像に付与する評価の評価値を決定する決定部と、
前記画像記憶部に記憶されている前記画像データに前記決定部により決定した前記評価値を関連付けて記憶させる記憶制御部と、
前記画像データに関連付けられた前記評価値が所定の閾値を超えた場合、前記画像データに関連付けられている撮影地情報を、前記評価値が前記所定の閾値を超えていない他の画像データに関連付けられている撮影地情報と区別して登録する登録部と
を備えることを特徴とする画像評価サーバ。
【請求項２】
前記決定部は、前記特定の条件が満たされた場合の評価値を前記特定の条件が満たされない場合の評価値よりも高く決定することを特徴とする請求項１記載の画像評価サーバ。
【請求項３】
前記評価値は、前記特定の条件の内容に応じて重みづけされていることを特徴とする請求項１または２記載の画像評価サーバ。
【請求項４】
前記受信部は、前記画像データに基づく画像が前記端末の表示部に表示された時間に関する表示時間情報を受信し、
前記判定部は、前記受信部により受信した前記表示時間情報に基づいて、前記画像データに基づく画像が前記端末の表示部に所定の時間以上表示されたことを認識した場合に、前記特定の条件が満たされたと判定することを特徴とする請求項１〜３の何れか一項に記載の画像評価サーバ。
【請求項５】
前記受信部は、前記画像データに基づく画像が前記端末の表示部に表示されたことを示す表示情報を受信し、
前記受信部により前記表示情報を受信した履歴を記憶する履歴記憶部を備え、
前記判定部は、前記履歴記憶部に記憶された前記表示情報に基づいて、前記画像データに基づく画像が所定の期間内に所定の回数以上前記端末の表示部に表示されたことを認識した場合に、前記特定の条件が満たされたと判定することを特徴とする請求項１〜３の何れか一項に記載の画像評価サーバ。
【請求項６】
前記受信部は、ＧＰＳにより測位された前記端末の位置に関する情報を受信し、
前記判定部は、前記端末の位置と前記画像データに関連付けられている撮影地情報の位置との間の距離が所定の距離以下となった場合に、前記特定の条件が満たされたと判定することを特徴とする請求項１〜３の何れか一項に記載の画像評価サーバ。
【請求項７】
前記判定部は、更に前記端末の位置と前記画像データに関連付けられている撮影地情報の位置との間の距離が所定の距離以下である状態が所定の時間以上継続した場合に、前記特定の条件が満たされたと判定することを特徴とする請求項６記載の画像評価サーバ。
【請求項８】
前記端末の使用者の住所を記憶する個人情報記憶部を備え、
前記判定部は、前記個人情報記憶部に記憶されている前記住所の位置と前記画像データに関連付けられている撮影地情報の位置との間の距離が所定の距離以下となった場合に、前記特定の条件が満たされたと判定することを特徴とする請求項１〜３の何れか一項に記載の画像評価サーバ。
【請求項９】
前記所定の操作信号は、前記画像データの送信要求信号、前記画像データのダウンロードの許可を要求する信号、前記画像データに基づく画像の印刷の許可を要求する信号、前記画像データの所在場所情報を所定のアドレスに転送する旨の指示信号、前記画像データに基づく画像がお気に入りに追加されたことを通知する信号の中の少なくとも一つであることを特徴とする請求項１〜３の何れか一項に記載の画像評価サーバ。
【請求項１０】
前記画像データに関連付けられている撮影地情報が前記登録部に登録された場合、前記画像評価サーバと通信可能な端末に対して前記登録された撮影地情報に関する報知を行う報知部を備えることを特徴とする請求項１〜９の何れか一項に記載の画像評価サーバ。
【発明の詳細な説明】
【技術分野】
【０００１】
本発明は、画像評価サーバに関するものである。
【背景技術】
【０００２】
従来、表示面に表示された画像上におけるマウスの滞留時間に基づいて画像を評価する評価システムが知られている（例えば、特許文献１参照）。
【先行技術文献】
【特許文献】
【０００３】
【特許文献１】特開２００３−０３０８５４１号公報
【発明の概要】
【発明が解決しようとする課題】
【０００４】
しかしながら、この評価システムにおいては、ユーザが画像を評価することを意図せず、不用意に画像上にマウスを滞留させた場合にも画像に対する評価が行われるため、高い精度で画像を評価できないという問題があった。
【０００５】
本発明の目的は、高い精度で画像を評価することができる画像評価サーバを提供することである。
【課題を解決するための手段】
【０００６】
本発明の画像評価サーバは、画像データを撮影地情報と関連付けて記憶する画像記憶部と、端末からネットワークを介して所定の操作信号を受信する受信部と、前記受信部により前記所定の操作信号を受信し、かつ特定の条件が満たされたか否かを判定する判定部と、前記判定部による判定結果に基づいて、前記画像データに基づく画像に付与する評価の評価値を決定する決定部と、前記画像記憶部に記憶されている前記画像データに前記決定部により決定した前記評価値を関連付けて記憶させる記憶制御部と、前記画像データに関連付けられた前記評価値が所定の閾値を超えた場合、前記画像データに関連付けられている撮影地情報を、前記評価値が前記所定の閾値を超えていない他の画像データに関連付けられている撮影地情報と区別して登録する登録部とを備えることを特徴とする。
【発明の効果】
【０００７】
本発明によれば、高い精度で画像を評価することができる。
【図面の簡単な説明】
【０００８】
【図１】実施の形態に係る画像評価システムの構成を示すブロック図である。
【図２】実施の形態に係る画像評価サーバの構成を示すブロック図である。
【図３】実施の形態に係る端末の構成を示すブロック図である。
【図４】実施の形態に係る画像評価システムにおける画像評価処理を示すフローチャートである。
【図５】実施の形態に係る画像評価サーバによって提供される画像評価サイトに表示された地図を示す図である。
【図６】実施の形態に係る画像評価サーバによって提供される画像評価サイトに表示されたサムネイル画像を示す図である。
【図７】実施の形態に係る画像評価サーバによって提供される画像評価サイトに表示された画像を示す図である。
【発明を実施するための形態】
【０００９】
以下、図面を参照して本発明の実施の形態に係る画像評価システムについて説明する。図１は、実施の形態に係る画像評価システム２の構成を示すブロック図である。画像評価システム２は、画像の評価処理を行う画像評価サーバ４を備え、画像評価サーバ４はネットワーク６を介して種々の端末と通信可能となっている。
【００１０】
ここで、上記端末８には、デジタルカメラ、スマートフォン、タブレット端末、携帯電話のように画像を撮影することが可能な撮像装置のほか、画像データを保存可能なパソコンなどが含まれている。いずれの端末も、画像評価サーバ４に対して通信接続可能な通信装置を内蔵、または外部機器として装着している。
【００１１】
図２は、実施の形態に係る画像評価サーバ４の構成を示すブロック図である。画像評価サーバ４は、通信可能な端末からの画像評価を受け付ける画像評価サイトを提供するサーバであり、画像評価サーバ４の各部を統括的に制御するＣＰＵ２０を備えている。ＣＰＵ２０には、ネットワーク６を介して端末８との通信を行う通信部２２、アドレス等の個人情報を予め記憶する個人情報記憶部２４、ネットワーク６を介して端末８からアップロードされた画像の画像データを記憶する画像記憶部２６、画像記憶部２６に記憶されている画像データの評価履歴を記憶する履歴記憶部２７、所定の評価がなされた画像の撮影地点の位置情報を記憶する撮影名所記憶部２８、及び地図データを記憶する地図データ記憶部２９が接続されている。
【００１２】
ここで、個人情報記憶部２４に記憶されている個人情報は、画像評価サーバ４と通信可能な端末８のユーザ等によって予め登録されたＩＤ、パスワード、アドレス、住所、及びプロフィール等である。また、画像記憶部２６に記憶されている画像データには、ファイル名、画像の評価点数、及び撮影地情報等がタグ情報として付加されており、更にＵＲＬ等の画像データの所在場所情報等が関連付けられている。
【００１３】
図３は、実施の形態に係る画像評価サーバ４と通信可能な端末８の構成を示すブロック図である。この端末８は、ＣＰＵ３０を備え、ＣＰＵ３０には、ネットワーク６を介して画像評価サーバ４との間で通信を行う通信部３２、ＧＰＳ衛星から受信した信号に基づいて現在位置を測位するＧＰＳ３４、ＬＣＤ表示部３８、被写体光を撮像して撮像信号を生成する撮像素子４１、及び画像データを記憶するメモリカード５２を装着するメモリカードスロット５３が接続されている。
【００１４】
なお、端末８の種類によっては撮像素子４１やＧＰＳ３４を備えない場合もあるが、これらの機能を代替する構成を備えていてもよい。つまり、撮像素子４１やＧＰＳ３４を備えていないパソコンなどは、代わりに画像データを記憶する記憶デバイスを備えていればよく、通信基地局を介して概略的な位置情報が特定できるだけでもよい。また、いずれの端末８も少なくとも通信部３２を実質的に備えているが、他の機能で装備していないものについては、画像評価サーバ４との間のサービスが制限されるに過ぎない。
【００１５】
次に、図４に示すフローチャートを参照して、実施の形態に係る画像評価システム２における画像評価処理について説明する。なおフローチャートは、画像評価サーバ４のＣＰＵ２０を主体として記載されている。
【００１６】
画像を評価しようとする者（評価者）が、端末８（デジタルカメラ、スマートフォン、タブレット端末、携帯電話、パソコン）のブラウザから画像評価サイトへアクセスする場合、ＬＣＤ表示部３８（図２参照）にＩＤとパスワードの入力を要求する認証画面が表示される。この認証画面においてＩＤとパスワードの入力が行われると、画像評価サーバ４のＣＰＵ２０は、ネットワーク６を介してＩＤとパスワードを受信し、受信したＩＤ及びパスワードと、個人情報記憶部２４に記憶されているＩＤ及びパスワードとを照合する（ステップＳ１１）。
【００１７】
ＩＤとパスワードが一致すると、端末８のＬＣＤ表示部３８に画像評価サイトの画面が表示される。例えば、図５に示すように、検索したい画像の撮影地点を絞り込むための地図６０が表示される。
【００１８】
次に、評価者により、検索したい画像の撮影地点のエリアが選択される。例えば、評価者は、地図６０を見ながらマウスを操作し、ＬＣＤ表示部３８に表示されたカーソルをエリアａ上の位置に移動させ、エリアａをクリックする。ここで、エリアは、丁目等の街区レベルで区画されている。
【００１９】
エリアａがクリックされると、画像評価サーバ４のＣＰＵ２０は、エリアａ内で撮影された一枚または複数枚の画像の画像データを画像記憶部２６から読み出す。次に、ＣＰＵ２０は、読み出した画像データからサムネイル画像データを生成し、ネットワーク６を介して端末８に送信する（ステップＳ１２）。端末８のＣＰＵ３０は、サムネイル画像データを受信すると、図６に示すように、受信したサムネイル画像データに基づくサムネイル画像をＬＣＤ表示部３８に表示する。
【００２０】
次に、評価者により、拡大して見たいサムネイル画像が選択される。例えば、評価者は、マウスを操作して、カーソルを図６に示すサムネイル画像Ｘ上の位置に移動させ、サムネイル画像Ｘをクリックする。サムネイル画像Ｘがクリックされると、サムネイル画像Ｘの元画像の画像データ送信要求がネットワーク６を介して画像評価サーバ４に送信される。
【００２１】
画像評価サーバ４のＣＰＵ２０は、画像データ送信要求を受信すると（ステップＳ１３）、画像記憶部２６に記憶されているサムネイル画像Ｘの元画像の画像データ（以下、画像データＸという。）に最初の評価点数を付加する（ステップＳ１４）。ここで最初の評価点数は、画像データ送信要求がなされて画像データＸに基づく画像Ｘ´（図７参照）がＬＣＤ表示部３８に表示されただけで付加される評価点数であり、例えば３点のようにサーバ管理者が任意に設定することができる。なお、画像データＸに既に評価点数が付加されている場合、既に付加されている評価点数に最初の評価点数が加算される。
【００２２】
次に、ＣＰＵ２０は、画像データＸをネットワーク６を介して端末８に送信する（ステップＳ１５）。端末８のＣＰＵ３０は、画像データＸを受信すると、図７に示すように、画像データＸに基づく画像Ｘ´をＬＣＤ表示部３８に表示する。ここで、ＣＰＵ３０は、画像Ｘ´の表示が終了するまで画像Ｘ´の表示時間を計測し、計測が終了した時点で表示時間に関する情報をネットワーク６を介して画像評価サーバ４に送信する。
【００２３】
画像評価サーバ４のＣＰＵ２０は、表示時間に関する情報を受信すると（ステップＳ１６）、画像Ｘ´の表示時間が所定の時間以上であったか否かを判定する（ステップＳ１７）。ここで、所定の時間については、例えば１０秒以上のようにサーバ管理者が任意に設定することができる。画像Ｘ´の表示時間が１０秒以上であった場合（ステップＳ１７：Ｙｅｓ）、ＣＰＵ２０は、画像記憶部２６に記憶されている画像データＸに２回目の評価点数を加算する（ステップＳ１８）。ここで２回目の評価点数は、画像Ｘ´の表示時間が所定の時間以上であった場合に最初の評価点数に加算される評価点数であり、例えば７点のようにサーバ管理者が任意に設定することができる。一方、画像Ｘ´の表示時間が１０秒未満であった場合（ステップＳ１７：Ｎｏ）、ステップＳ１９の処理に進む。なお、画像Ｘ´の表示時間が１０秒未満であった場合、ステップＳ１９の処理に進むことに代えて、最初の評価点数を減算するようにしてもよい。例えば、評価点数を３点減算し、最初の評価点数として付加した３点を取り消すようにしてもよい。
【００２４】
次に、ＣＰＵ２０は、画像データＸに付加されている評価点数の合計が所定の点数を超えたか否かを判定する（ステップＳ１９）。合計が所定の点数を超えていない場合（ステップＳ１９：Ｎｏ）、一連の評価処理を終了する。一方、合計が所定の点数を超えた場合（ステップＳ１９：Ｙｅｓ）、ＣＰＵ２０は、画像Ｘ´の撮影地点を、評価点数の合計が所定の点数を超えていない画像の撮影地点と区別し、画像Ｘ´の撮影地点を「撮影名所」として登録する（ステップＳ２０）。即ち、当該画像の画像データに付加されている位置情報を撮影名所情報として撮影名所記憶部２８に記憶する。
【００２５】
次に、ＣＰＵ２０は、個人情報記憶部２４に登録されているアドレスに宛てて、新規に登録された撮影名所情報を通知する（ステップＳ２１）。具体的には、図１に示す、デジタルカメラ、スマートフォン、タブレット端末、携帯電話、パソコンそれぞれのアドレスに宛てて、「新規に登録されたお薦めの撮影スポットをお知らせします。」等のメッセージに撮影名所情報を添付した電子メールを送信する。
【００２６】
この実施の形態に係る画像評価システム２によれば、評価者がサムネイル画像Ｘの元画像である画像Ｘ´を端末８のＬＣＤ表示部３８に表示させる操作を行った後、更に画像Ｘ´を所定の時間以上ＬＣＤ表示部３８に表示させた場合に２回目の評価点数を加算するため、評価者の評価意思を的確に画像評価に反映させることができ、高い精度で画像を評価することができる。また、撮影名所の登録が行われた場合、個人情報記憶部２４に登録されているアドレスに宛てて撮影名所情報を送信するため、画像評価システム２のユーザは有用な撮影地情報を得ることができる。
【００２７】
なお、上述の実施の形態においては、画像Ｘ´を所定の時間以上端末８のＬＣＤ表示部３８に表示させた場合に２回目の評価点数を加算しているが、画像Ｘ´を所定の時間以上表示させたことに代えて、他の特定の条件が満たされた場合に２回目の評価点数を加算してもよい。例えば、以下に示す（１）〜（８）の何れかの条件が満たされた場合に２回目の評価点数を加算する。
【００２８】
（１）評価者によって画像Ｘ´をダウンロードする操作が行われた場合に２回目の評価点数を加算する。例えば、画像Ｘ´が端末８のＬＣＤ表示部３８に表示されると、「画像をダウンロードする」等のボタン（図示せず）が画像Ｘ´の近傍に表示される。ここで、評価者がマウスを操作し、「画像をダウンロードする」等のボタンをクリックすると、端末８のＣＰＵ３０は、ネットワーク６を介して画像評価サーバ４にダウンロードの許可要求を送信する。画像評価サーバ４のＣＰＵ２０は、ダウンロードの許可要求を受信すると、画像記憶部２６に記憶されている画像データＸに２回目の評価点数を加算する。
【００２９】
（２）評価者によって画像Ｘ´を印刷する操作が行われた場合に２回目の評価点数を加算する。例えば、画像Ｘ´の近傍に表示された「画像を印刷する」等のボタン（図示せず）がクリックされると、端末８のＣＰＵ３０は、ネットワーク６を介して画像評価サーバ４に印刷許可要求を送信する。画像評価サーバ４のＣＰＵ２０は、印刷許可要求を受信すると、画像データＸに２回目の評価点数を加算する。
【００３０】
（３）評価者によって画像Ｘ´を共有する操作が行われた場合に２回目の評価点数を加算する。例えば、評価者が画像Ｘ´の近傍に表示された「画像を共有する」等のボタン（図示せず）をクリックすると、画像Ｘ´を共有したい人物のメールアドレス（例えば、画像Ｘ´を共有したい他のユーザが使用する他の端末８のメールアドレス）の入力を要求する要求画面が表示される。この要求画面においてメールアドレスが入力され、図示しないＯＫボタンがクリックされると、端末８のＣＰＵ３０は画像評価サーバ４に対して、入力されたメールアドレスに宛てて画像データＸに関連付けられているＵＲＬを転送する旨の指示を送信する。画像評価サーバ４のＣＰＵ２０は、この指示を受信すると、入力されたメールアドレスに宛てて画像データＸに関連付けられているＵＲＬを転送すると共に、画像データＸに２回目の評価点数を加算する。
【００３１】
（４）評価者によって画像Ｘ´をお気に入りに追加する操作が行われた場合に２回目の評価点数を加算する。例えば、評価者が画像Ｘ´の近傍に表示された「画像をお気に入りに追加する」等のボタン（図示せず）をクリックすると、端末８のＣＰＵ３０は、画像Ｘ´が評価者のお気に入りに追加されたことを通知する信号を画像評価サーバ４に対して送信する。画像評価サーバ４のＣＰＵ２０は、この信号を受信すると、画像データＸに２回目の評価点数を加算する。
【００３２】
（５）評価者が所定の期間内に画像Ｘ´を表示させた回数が所定の回数以上になった場合に２回目の評価点数を加算する。例えば、画像Ｘ´が端末８のＬＣＤ表示部３８に表示されると、端末８のＣＰＵ３０は、画像Ｘ´が表示されたことを示す表示情報を画像評価サーバ４に対して送信する。画像評価サーバ４のＣＰＵ２０は、表示情報を受信すると、表示情報を履歴記憶部２７に履歴として追加する。ここで、履歴記憶部２７は、誰が何時どの画像を表示させたかを示す履歴を画像データごとに記憶している。次に、ＣＰＵ２０は、履歴記憶部２７に記憶されている履歴を参照して、評価者が所定の期間内に画像Ｘ´を表示させた回数が所定の回数以上になったか否かを判定する。例えば、評価者が１時間以内に５回以上画像Ｘ´を端末８のＬＣＤ表示部３８に表示させたか否かを判定する。評価者が１時間以内に５回以上画像Ｘ´を端末８のＬＣＤ表示部３８に表示させた場合、ＣＰＵ２０は、画像データＸに２回目の評価点数を加算する。
【００３３】
（６）ＬＣＤ表示部３８に表示されている画像Ｘ´の撮影地点と評価者の使用する端末８と間の距離が所定の距離以下である場合に２回目の評価点数を加算する。例えば、画像評価サーバ４のＣＰＵ２０は、画像データＸを評価者の端末８に送信すると（ステップＳ１５参照）、個人情報記憶部２４に記憶されている評価者の住所を読み出し、画像Ｘ´の撮影地点の位置と評価者の住所の位置との間の距離が所定の距離以下であるか否かを判定する。画像Ｘ´の撮影位置と評価者の住所の位置との間の距離が所定の距離以下である場合、例えば、評価者が画像Ｘ´の撮影地点の近くに住んでいる場合、ＣＰＵ２０は、画像データＸに２回目の評価点数を加算する。
【００３４】
なお、評価者の使用する端末８がＧＰＳ機能を備えたデジタルカメラやスマートフォン等である場合、ＣＰＵ２０は、画像Ｘ´の撮影位置と端末８の現在位置との間の距離が所定の距離以下になった場合に、画像データＸに２回目の評価点数を加算する。例えば、評価者が撮影を行うために画像Ｘ´の撮影位置に近づいた場合に２回目の評価点数が加算される。
【００３５】
また、画像Ｘ´の撮影位置と端末８の現在位置との間の距離が所定の距離以下である状態が所定の時間以上継続した場合、具体的には、端末８を所持する評価者が画像Ｘ´の撮影位置に所定の時間以上滞在した場合に画像データＸに２回目の評価点数を加算してもよい。
【００３６】
（７）過去に多数回画像を評価した履歴を有する評価者（以下、多数評価者という。）によって画像が評価された場合に２回目の評価点数を加算する。例えば、画像評価サーバ４のＣＰＵ２０は、画像データＸを端末８に送信した時に（ステップＳ１５参照）、この端末８を使用する評価者が多数評価者であるか否かを判定する。具体的には、履歴記憶部２７に記憶されている情報を参照し、端末８に対して今までに、例えば、５０回以上画像データ（画像データＸ以外の画像データを含む）の送信が行われているか否かを判定する。端末８に対して今までに５０回以上画像データの送信が行われている場合、即ち、この端末８を使用する評価者が今までに５０回以上画像（画像Ｘ´以外の画像を含む）を表示させる操作を行っている場合、ＣＰＵ２０は、この端末８を使用する評価者を多数評価者と判定し、画像データＸに２回目の評価点数を加算する。
【００３７】
（８）ＬＣＤ表示部３８に表示されている画像Ｘ´を評価した評価者が笑顔である場合に２回目の評価点数を加算する。例えば、端末８が、評価者の顔を撮影するための対面カメラ、及び対面カメラにより撮影された画像から笑顔を認識する笑顔認識部を備えている場合、端末８のＣＰＵ３０は、画像データＸを受信した際に対面カメラにより評価者の顔を撮影し、笑顔認識部によって評価者が笑顔であるか否かを認識する。評価者が笑顔である場合、ＣＰＵ３０は、笑顔が認識されたことを示す笑顔データを生成し、ネットワーク６を介して画像評価サーバ４に送信する。画像評価サーバ４のＣＰＵ２０は、笑顔データを受信すると、画像データＸに２回目の評価点数を加算する。
【００３８】
また、上述の実施の形態において、特定の条件の内容に応じて２回目の評価点数のウエイトを変更してもよい。例えば、評価者によって画像をダウンロードする操作が行われた場合には、２回目の評価点数を８点とし、評価者によって画像を印刷する操作が行われた場合には、２回目の評価点数を１０点のようにしてもよい。
【００３９】
また、上述の実施の形態においては、画像評価サーバ４が画像データ送信要求を受信した場合、即ち、端末８のＬＣＤ表示部３８に画像Ｘ´を表示させる操作が行われた場合に最初の評価点数を加算しているが、端末８のＬＣＤ表示部３８に画像Ｘ´を表示させる操作に代えて、他の操作が行われた場合に最初の評価点数を加算してもよい。例えば、以下に示す（Ａ）〜（Ｄ）の何れかの操作が行われた場合に最初の評価点数を加算する。
【００４０】
（Ａ）評価者によって画像Ｘ´をダウンロードする操作が行われた場合に最初の評価点数を加算する。また、最初の評価点数が加算された後において、特定の条件が満たされた場合に２回目の評価点数を加算する。例えば、最初の評価点数が加算された後において、評価者によって画像Ｘ´を印刷する操作が行われた場合に２回目の評価点数を加算する。同様に、最初の評価点数が加算された後において、例えば、評価者によって画像Ｘ´を共有する操作が行われた場合、評価者によって画像Ｘ´をお気に入りに追加する操作が行われた場合、ＬＣＤ表示部３８に表示されている画像Ｘ´の撮影地点と端末８または評価者の住所との間の距離が所定の距離以下である場合、評価者が多数評価者である場合、評価者が笑顔である場合の何れかの特定の条件が満たされた場合には、画像データＸに２回目の評価点数を加算する。
【００４１】
（Ｂ）評価者によって画像Ｘ´を印刷する操作が行われた場合に最初の評価点数を加算する。また、最初の評価点数が加算された後、以下に示す特定の条件が満たされた場合に２回目の評価点数を加算する。例えば、最初の評価点数が加算された後、評価者によって画像Ｘ´を共有する操作が行われた場合、評価者によって画像Ｘ´をお気に入りに追加する操作が行われた場合、ＬＣＤ表示部３８に表示されている画像Ｘ´の撮影地点と端末８または評価者の住所との間の距離が所定の距離以下である場合、評価者が多数評価者である場合、評価者が笑顔である場合の何れかの特定の条件が満たされた場合には、画像データＸに２回目の評価点数を加算する。
【００４２】
（Ｃ）評価者によって画像Ｘ´を共有する操作が行われた場合に最初の評価点数を加算する。また、最初の評価点数が加算された後、以下に示す特定の条件が満たされた場合に２回目の評価点数を加算する。例えば、最初の評価点数が加算された後、評価者によって画像Ｘ´をお気に入りに追加する操作が行われた場合、ＬＣＤ表示部３８に表示されている画像Ｘ´の撮影地点と端末８または評価者の住所との間の距離が所定の距離以下である場合、評価者が多数評価者である場合、評価者が笑顔である場合の何れかの特定の条件が満たされた場合には、画像データＸに２回目の評価点数を加算する。
【００４３】
（Ｄ）評価者によって画像Ｘ´をお気に入りに追加する操作が行われた場合に最初の評価点数を加算する。また、最初の評価点数が加算された後、以下に示す特定の条件が満たされた場合に２回目の評価点数を加算する。例えば、最初の評価点数が加算された後、ＬＣＤ表示部３８に表示されている画像Ｘ´の撮影地点と端末８または評価者の住所との間の距離が所定の距離以下である場合、評価者が多数評価者である場合、評価者が笑顔である場合の何れかの特定の条件が満たされた場合には、画像データＸに２回目の評価点数を加算する。
【００４４】
また、上述の実施の形態において、端末８のＬＣＤ表示部３８に画像Ｘ´を表示させる操作に代えて、評価者が所定の期間内に画像Ｘ´を表示させた回数が所定の回数以上になった場合に最初の評価点数を加算してもよい。そして、最初の評価点数が加算された後、ＬＣＤ表示部３８に表示されている画像Ｘ´の撮影地点と端末８または評価者の住所との間の距離が所定の距離以下である場合、評価者が多数評価者である場合の何れかの特定の条件が満たされた場合には、画像データＸに２回目の評価点数を加算するようにしてもよい。
【符号の説明】
【００４５】
２…画像評価システム、４…画像評価サーバ、６…ネットワーク、８…端末、２０…ＣＰＵ、２４…個人情報記憶部、２６…画像記憶部、２７…履歴記憶部、２８…撮影名所記憶部、３０…ＣＰＵ、３８…ＬＣＤ表示部
【図１】
2015011418.tif 000003
【図２】
2015011418.tif 000004
【図３】
2015011418.tif 000005
【図４】
2015011418.tif 000006
【図５】
2015011418.tif 000007
【図６】
2015011418.tif 000008
【図７】
2015011418.tif 000009